(57)【特許請求の範囲】
【請求項１】
基材に挟持されて取着される毛羽体からなる帯状のブラシであって、
複数の繊維が直線状に束ねられ先端側を自由端として基端側が固定される繊維束と、
該繊維束を構成する繊維が延びる方向と直交する方向へ前記各繊維束を並列させた状態において前記各繊維束を基端側で束状に保持しつつ連結する保持繊維とを備え、
前記保持繊維で保持された部分の前記繊維束を構成する各繊維の間に接着機能を有する樹脂材料が含浸されていることを特徴とするブラシ。
【請求項２】
前記保持繊維で保持された部分より基端側の前記繊維束を構成する各繊維の
間にも接着機能を有する樹脂材料が含浸されていることを特徴とする請求項１に記載のブラシ。
【請求項３】
前記保持繊維は、加熱されて保持繊維の樹脂材料が繊維束に溶着された状態で各繊維束を保持していることを特徴とする請求項１又は請求項２に記載のブラシ。
【請求項４】
前記保持繊維は、
前記繊維束における先端から基端側への距離が異なる複数位置で前記各繊維束に各々巻き付く複数の保持繊維で構成され、
前記各繊維束において、先端に一番近い位置で前記保持繊維に保持された部分は、当該部分より基端側で前記各保持繊維保持された部分よりも前記樹脂材料の含浸量が少なくなるように構成されていることを特徴とする請求項１〜３のうち何れか一項に記載のブラシ。
【請求項５】
前記保持繊維は、
前記繊維束における先端から基端側への距離が異なる複数位置で前記各繊維束に各々巻き付く複数の保持繊維で構成され、
前記各保持繊維のうち、前記繊維束における先端に一番近い位置で前記各繊維束に巻き付く先端側保持繊維は、当該先端側保持繊維よりも基端側で前記各繊維束に巻き付く他の保持繊維よりも前記樹脂材料の吸収保持能力が高くなるように構成されている
ことを特徴とする請求項１〜４のうち何れか一項に記載のブラシ。
【請求項６】
前記保持繊維は、前記樹脂材料を吸収した場合に変色することを特徴とする請求項１〜請求項５のうち何れか一項に記載のブラシ。
【請求項７】
前記繊維束を構成する前記繊維は、導電性繊維であることを特徴とする請求項１〜請求項６のうち何れか一項に記載のブラシ。
【請求項８】
複数の繊維が直線状に束ねられ先端側を自由端として基端側が固定される繊維束と、
該繊維束を構成する繊維が延びる方向と直交する方向へ前記各繊維束を並列させた状態において前記各繊維束を基端側で束状に保持しつつ連結する保持繊維とを備えて基材に挟持されて取着される毛羽体からなる帯状のブラシの製造方法であって、
前記保持繊維は熱溶融性の樹脂材料を含み、
当該保持繊維で前記繊維束の所定位置を保持した状態で加熱して、
当該保持繊維で保持された部分の前記繊維束の各繊維の間に、前記保持繊維の接着機能を有する樹脂材料が溶融されて含浸されることを特徴とするブラシの製造方法。
【発明の詳細な説明】
【技術分野】
【０００１】
本発明は、例えば電気掃除機用の回転ブラシや画像形成装置における除電ブラシなどに用いられる帯状のブラシ及びブラシの製造方法に関する。
【背景技術】
【０００２】
従来、この種のブラシは、例えば特許文献１に記載されるように、複数の並列する繊維束が、該繊維束を構成する繊維が延びる方向と交差する方向に延びる保持繊維によって、各繊維束における毛羽状の先端よりも基端側の部分を束状に保持されつつ並列方向に連結されることで、帯状をなすように形成されている。
【先行技術文献】
【特許文献】
【０００３】
【特許文献１】特開平６−１２５８１１号公報
【発明の概要】
【発明が解決しようとする課題】
【０００４】
ところで、特許文献１における帯状のブラシは、そのブラシが装着される部品の規格に合わせて、各繊維束が並列する方向となる長手方向の寸法が調整される。すなわち、そのブラシが装着される部品の装着部位の長さに合わせて切断される。そのため、切断箇所によっては、多数の繊維が束ねられた繊維束を縦割りしてしまい、その繊維束を束状に保持すべく巻き付いている保持繊維も切断されるために、その切断箇所から繊維束を構成する繊維が解れてしまったり、さらには飛散したりする虞があった。
【０００５】
本発明は、このような課題に着目してなされたものである。その目的とするところは、複数の繊維束が並列して帯状をなすように形成されたブラシにおける繊維束が縦割り状に切断された場合に当該繊維束から繊維が解れることを抑制することができるブラシ及びブラシの製造方法を提供することにある。
【課題を解決するための手段】
【０００６】
上記の目的を達成するために、本発明に係るブラシは、基材に挟持されて取着される毛羽体からなる帯状のブラシであって、複数の繊維が直線状に束ねられ先端側を自由端として基端側が固定される繊維束と、該繊維束を構成する繊維が延びる方向と直交する方向へ前記各繊維束を並列させた状態において前記各繊維束を基端側で束状に保持しつつ連結する保持繊維とを備え、前記保持繊維で保持された部分の前記繊維束を構成する各繊維の間に接着機能を有する樹脂材料が含浸されていることを要旨とする。
【０００７】
また、本発明に係るブラシにおいて、前記保持繊維で保持された部分より基端側の前記繊維束を構成する各繊維の間にも接着機能を有する樹脂材料が含浸されていることを要旨とする。
また、本発明に係るブラシにおいて、前記保持繊維は、加熱されて保持繊維の樹脂材料が繊維束に溶着された状態で各繊維束を保持していることを要旨とする。
これらの構成によれば、繊維束を構成する各繊維は、保持繊維が各繊維束を束状に保持する保持機能によるばかりでなく、各繊維の間に含浸される樹脂材料の接着機能によっても、多数の繊維が集まって束ねられた状態が保持される。したがって、複数の繊維束が並列して帯状をなすように形成されたブラシにおける繊維束が縦割り状に切断された場合に当該繊維束から繊維が解れることを抑制することができる。
【０００８】
また、本発明に係るブラシにおいて、前記保持繊維は、前記繊維束における先端から基端側への距離が異なる複数位置で前記各繊維束に各々巻き付く複数の保持繊維で構成され、前記各繊維束において、先端に一番近い位置で前記保持繊維に保持された部分は、当該部分より基端側で前記各保持繊維保持された部分よりも前記樹脂材料の含浸量が少なくなるように構成されていることを要旨とする。
この構成によれば、樹脂材料は繊維束における先端よりも基端側の部分において各繊維の間に含浸しているので、各繊維束は先端を毛羽状態に保持することができ、ブラシ性能を良好に維持することができる。
【０００９】
また、本発明に係るブラシにおいて、前記保持繊維は、前記繊維束における先端から基端側への距離が異なる複数位置で前記各繊維束に各々巻き付く複数の保持繊維で構成され、前記各保持繊維のうち、前記繊維束における先端に一番近い位置で前記各繊維束に巻き付く先端側保持繊維は、当該先端側保持繊維よりも基端側で前記各繊維束に巻き付く他の保持繊維よりも前記樹脂材料の吸収保持能力が高くなるように構成されていることを要旨とする。
【００１０】
この構成によれば、各繊維束に対して樹脂材料を例えば各繊維束における先端側保持繊維が巻き付く位置よりも基端側から含浸させた場合において、繊維束を構成する各繊維の毛管現象で樹脂材料が繊維束の先端側へ浸透しようとすると、その樹脂材料は先端側保持繊維により吸収保持される分だけ繊維束の先端側への浸透量が低減される。したがって、各繊維束の先端の毛羽状態が毛管現象で基端側から先端側へ浸透してくる樹脂材料で阻害されることを抑制することができる。
【００１１】
また、本発明に係るブラシにおいて、前記保持繊維は、前記樹脂材料を吸収した場合に変色することを要旨とする。
この構成によれば、例えば繊維束に対して複数の保持繊維がそれぞれ別々の位置で巻き付いている場合、樹脂材料を吸収して変色した保持繊維を視認することで、各繊維束への樹脂材料の含浸量を把握することが可能となる。
【００１２】
また、本発明に係るブラシにおいて、前記繊維束を構成する前記繊維は、導電性繊維であることを要旨とする。
この構成によれば、導電性繊維が解れて飛散した場合などに発生することが懸念される電気的な不具合の発生を低減することができる。
さらに本発明に係るブラシの製造方法では、複数の繊維が直線状に束ねられ先端側を自由端として基端側が固定される繊維束と、該繊維束を構成する繊維が延びる方向と直交する方向へ前記各繊維束を並列させた状態において前記各繊維束を基端側で束状に保持しつつ連結する保持繊維とを備えて基材に挟持されて取着される毛羽体からなる帯状のブラシの製造方法であって、前記保持繊維は熱溶融性の樹脂材料を含み、当該保持繊維で前記繊維束の所定位置を保持した状態で加熱して、当該保持繊維で保持された部分の前記繊維束の各繊維の間に、前記保持繊維の接着機能を有する樹脂材料が溶融されて含浸されることを要旨とする。
この構成によれば、本発明に係るブラシを製造することができる。
【発明の効果】
【００１３】
本発明によれば、複数の繊維束が並列して帯状をなすように形成されたブラシにおける繊維束が縦割り状に切断された場合に当該繊維束から繊維が解れることを抑制することができる。
【図面の簡単な説明】
【００１４】
【図１】本発明の実施形態に係るブラシが装着される回転ブラシを備えた電気掃除機のヘッドを示す平断面図。
【図２】電気掃除機のヘッドの使用状態を示す側断面図。
【図３】電気掃除機における回転ブラシを示す斜視図。
【図４】ブラシ組品の一部破断斜視図。
【図５】ブラシの平面図。
【図６】ブラシの製造過程を示す要部拡大簡略図。
【図７】図５における７−７線矢視断面図。
【図８】（ａ）は比較例のブラシにおける部分断面図、（ｂ）は（ａ）に示す比較例のブラシの部分正面図。
【発明を実施するための形態】
【００１５】
以下、本発明のブラシを電気掃除機用の回転ブラシに用いられる帯状のブラシに具体化した一実施形態を図面に基づいて説明する。
図１及び図２に示すように、電気掃除機のヘッド１１は、平面視略Ｔ字状のケース１２を備えている。ケース１２の後端部には接続パイプ１３の一端側が該ケース１２に対して回動可能に接続されているとともに、接続パイプ１３の他端側は電気掃除機の本体部（図示略）に接続されている。ケース１２の底壁における前端側の位置には左右方向に長い矩形状の吸込口１４が該底壁を貫通するように形成されている。
【００１６】
ケース１２の内底面上には矩形枠状をなす仕切板１５が吸込口１４を囲むように立設されており、該仕切板１５を構成する後壁の中央部には該後壁を貫通するようにエア吸引口１６が形成されている。ケース１２の左内側面にはモータ軸受１７が設けられ、該モータ軸受１７はケース１２内における仕切板１５の後方に設けられたモータ１８から延びるモータ軸１９の先端を回転可能に支持している。
【００１７】
仕切板１５の左右両側壁にはそれぞれ回転支持体２０が設けられ、該両回転支持体２０はケース１２の左右両内側面に設けられたブラシ軸受２１によってそれぞれ回転可能に支持されている。仕切板１５の内側には、回転軸線が左右方向に延びる回転ブラシ２２が収容されており、該回転ブラシ２２の両端部は両回転支持体２０によってそれぞれ支持されている。
【００１８】
また、左側の回転支持体２０とモータ軸１９に取着されたローラ１９ａとの間には無端状のベルト２３が掛装されている。したがって、モータ１８が駆動されると、該モータ１８の回転駆動力が、モータ軸１９、ローラ１９ａ、ベルト２３、及び左側の回転支持体２０を介して回転ブラシ２２に伝達されるようになっている。
【００１９】
図３に示すように、回転ブラシ２２は、金属等の導電性材料により円柱状をなすように形成された回転体３１と、該回転体３１に取着された４つのブラシ組品３２とを備えている。回転体３１の周面には、螺旋状をなす４本の凹溝３３が周方向へ等間隔の配置態様となるように一方の端面から他方の端面まで形成されている。そして、これらの各凹溝３３内にブラシ組品３２が１つずつ装着されている。
【００２０】
図３及び図４に示すように、ブラシ組品３２は、スチレン系またはオレフィン系の熱可塑性エラストマを押出成型することにより形成された長尺状の基材４０と、その基材４０に取着される帯状のブラシとしての毛羽体４１を備えている。基材４０は、回転体３１の端面側から凹溝３３内にスライド挿入された状態で凹溝３３内から放射方向への抜け防止を図るべく凹溝３３内の突起（図示略）に係止する側面視略半円状をなす係止部４２と、毛羽体４１を挟持するための側面視略Ｕ字状をなす挟持部４３と、係止部４２と挟持部４３とを連結する帯状の連結部４４とを備えている。
【００２１】
図５に示すように、毛羽体４１は、モノフィラメントである極細の導電性繊維（以下、単に「繊維」ともいう。）４５ａが多数本集まって束ねられたマルチフィラメントである繊維束４５と、繊維束４５の繊維４５ａが延びる方向と直交する方向へ各繊維束４５を並列させた状態で各繊維束４５を束状に保持しつつ連結する保持繊維４６とを備えている。なお、導電性繊維４５ａとしては、炭素繊維の他にステンレス繊維等の金属繊維、レーヨン繊維やキュプラ繊維等の再生繊維に導電性を付与した繊維、ナイロン繊維、アクリル繊維、ポリプロピレン繊維、ポリエステル繊維等の合成繊維に導電性を付与した繊維等が挙げられる。ちなみに、本実施形態では、炭素繊維によって導電性繊維４５ａが構成されている。
【００２２】
また、保持繊維４６は、繊維束４５において毛羽状の先端から基端側への距離が異なる複数位置（本実施形態では３位置）で各繊維束４５に各々巻き付く複数（本実施形態では一対（２本）×３位置＝３対（６本））の保持繊維４６ａ，４６ｂ，４６ｃで構成されている。具体的には、矩形状をなす毛羽体４１の幅方向の略中間位置であって且つ３位置のうちでは繊維束４５における毛羽状の先端に一番近い位置に先端側保持繊維４６ａが巻き付くと共に、この先端側保持繊維４６ａが巻き付いた位置よりも先端から順次に離れた２位置に他の保持繊維４６ｂ，４６ｃが巻き付いている。
【００２３】
各保持繊維４６（４６ａ，４６ｂ，４６ｃ）は、耐久性、柔軟性が高い繊維により形成されている。このような条件を満たす繊維としては、レーヨン繊維やキュプラ繊維等の再生繊維、ナイロン、アクリル、ポリプロピレン、ポリエチレンテレフタレート等から形成される合成繊維、綿等の天然繊維等が挙げられる。ちなみに、本実施形態における保持繊維４６は、合成繊維の一種であるポリプロピレン繊維と、加熱されても溶融しない非溶融繊維（例えば、綿などの天然繊維）が撚られた紡績繊維で構成されている。また、先端側保持繊維４６ａは、他の保持繊維４６ｂ，４６ｃよりも、液体の吸収保持能力が高くなるように、合成繊維よりも液体の吸収性に優れた非溶融繊維（例えば、綿などの天然繊維）の比率が多くされている。
【００２４】
図６に示すように、毛羽体４１は、長尺の繊維束４５を蛇行状に編み、両側の湾曲部分４５ｂよりも幅方向内側の複数位置を互いに平行に延びる複数（この場合は、一対（２本）×６位置＝６対（１２本））の保持繊維４６でそれぞれ編んだ後、幅方向の中央を切断する（図６中の矢印に沿って切断する）ことによって同時に２つ形成される。そして、毛羽体４１の幅方向において保持繊維４６（４６ａ，４６ｂ，４６ｃ）が巻き付いた一定幅領域が熱プレスされる。すると、図７に示すように、保持繊維４６（４６ａ，４６ｂ，４６ｃ）において主に非溶融繊維からなる非溶融要素１４６は繊維束４５に巻き付いた状態を維持する一方、溶融性のあるポリプロピレン繊維の一部である溶融要素２４６は繊維束４５の外周縁部分に位置する一部の繊維４５ａ同士の間に浸透し、その後、冷却するに連れて固化する。なお、本実施形態における樹脂材料４７としては、例えばアクリル樹脂エマルジョン、ウレタン樹脂エマルジョン、酢酸ビニル樹脂エマルジョンなどの水溶性の樹脂材料が好ましく、繊維束４５を構成する繊維４５ａとの相性などを考慮して適宜選択される。
【００２５】
そして更には、図示しない塗布装置を用いて、毛羽体４１の幅方向において先端側保持繊維４６ａが巻き付いた位置と湾曲部分４５ｂとの間の一定幅領域に接着機能を有する樹脂材料４７が塗布される。すなわち、毛羽体４１の各繊維束４５において毛羽状になる先端よりも基端側の部分において各繊維束４５を構成する繊維４５ａの間に接着機能を有する樹脂材料４７が含浸させられる。すると、図７に示すように、繊維束４５を構成する繊維４５ａは、各繊維４５ａの間に万遍なく浸透して固化した樹脂材料４７の接着機能により多数の繊維４５ａが集まって束ねられた状態に固められる。
【００２６】
そこで次に、以上のように構成された帯状のブラシである毛羽体４１の作用について、図８（ａ）（ｂ）に示す比較例と対比しながら説明する。
さて、毛羽体４１は、その毛羽体４１が装着される部品の規格に合わせて、すなわち、この場合は回転ブラシ２２における回転体３１の凹溝３３の長さに合わせて、繊維束４５の並列方向となる長手方向の寸法を調整するべく、その一部が幅方向（繊維束４５を構成する繊維４５ａの延びる方向）に沿って切断される。そのため、図４、図５及び図７に示すように、切断箇所によっては、繊維束４５を縦割りしてしまうことがある。
【００２７】
こうした場合において、図８（ａ）（ｂ）に示す比較例の毛羽体のように、繊維束４５を構成する各繊維４５ａの間に接着機能のある樹脂材料４７が含浸されていないと、繊維４５ａが切断箇所から一本ずつ解れることがあり得る。そして、そのように繊維束４５の縦割り切断箇所から解れた繊維４５ａが飛散してしまい、それが落下する箇所によっては電気的不具合を招いてしまう虞もある。
【００２８】
これに対し、本実施形態のブラシである毛羽体４１は、図７に示すように、繊維束４５を構成する各繊維４５ａは、繊維束４５全体として各繊維４５ａの間に万遍なく浸透して固化した樹脂材料４７の接着機能により、多数の繊維４５ａが集まって束ねられた状態に固められている。そのため、図７に示す繊維束（同図では左端の繊維束）４５のように、たとえ縦割り状に切断されたとしても、その切断箇所から繊維４５ａが解れることは抑制される。したがって、導電性繊維４５ａが飛散するようなことも抑制される。
【００２９】
また、樹脂材料４７は、繊維束４５における先端よりも基端側の部分で各繊維４５ａの間に含浸しており、先端側の部分には含浸していないため、繊維束４５は先端の毛羽状態が維持される。しかも、繊維束４５における先端よりも基端側の部分に塗布されることで各繊維４５ａ間に浸透した樹脂材料４７は、各繊維４５ａの毛管現象で繊維束４５の先端側へ浸透しようとするが、そのような樹脂材料４７は液体の吸収性に優れた先端側保持繊維４６ａにより少なくとも一部が吸収保持されるので、その分だけ先端側への浸透量が低減される。
【００３０】
そして、毛羽体４１を基材４０に挟持したブラシ組品３２が、回転ブラシ２２における回転体３１の凹溝３３内にスライド挿入されて装着された後、その回転ブラシ２２が電気掃除機のヘッド１１内に取り付けられる。なお、このとき回転ブラシ２２の導電材料からなる回転体３１は、図示しないアース機構に接続されると共に、その回転体３１に対してブラシ組品３２における毛羽体４１の導電性繊維４５ａからなる繊維束４５が、図示しない配線機構を介して電気的に接続される。
【００３１】
そして次に、図２に示すように、ヘッド１１が床面Ｆ上に載置された状態で電気掃除機が駆動されると、仕切板１５の内側のエアがエア吸引口１６及び接続パイプ１３を介して電気掃除機の本体部（図示略）内に吸引される。さらに、回転ブラシ２２が回転されることで、床面Ｆ上から塵、埃、毛髪等の塵埃が掻き取られながらエアとともに吸込口１４から吸い込まれる。このとき、回転ブラシ２２は、電気掃除機のヘッド１１の前進を妨げない方向（図２の矢印で示す方向）に回転される。
【００３２】
しかも、その際において、回転ブラシ２２の回転に伴い床面Ｆ上に摺接する毛羽体４１における繊維束４５の各繊維４５ａは導電性繊維であるため、静電気除去機能を発揮する。したがって、静電気により床面Ｆ上に付着している塵埃をエアの吸引力とブラシでの掻き取り力で容易に床面Ｆ上から離れさせることが可能となる。
【００３３】
以上詳述した実施形態によれば次のような効果が発揮される。
（１）毛羽体４１の繊維束４５を構成する各繊維４５ａは、保持繊維４６が繊維束４５を束状に保持する保持機能によるばかりでなく、各繊維４５ａの間に含浸される樹脂材料４７の接着機能によっても、多数の繊維４５ａが集まって束ねられた状態が保持される。したがって、複数の繊維束４５が並列して帯状をなすように形成された毛羽体（ブラシ）４１における繊維束４５が縦割り状に切断された場合に当該繊維束４５から繊維４５ａが解れることを抑制することができる。
【００３４】
（２）樹脂材料４７は繊維束４５における先端よりも基端側の部分において各繊維４５ａの間に含浸しているので、各繊維束４５は先端を毛羽状態に保持することができ、ブラシ性能を良好に維持することができる。
【００３５】
（３）各繊維束４５に対して樹脂材料４７を例えば各繊維束４５における先端側保持繊維４６ａが巻き付く位置よりも基端側から含浸させた場合、繊維束４５を構成する各繊維４５ａの毛管現象で樹脂材料４７は繊維束４５の先端側へ浸透しようとするが、その樹脂材料４７は先端側保持繊維４６ａにより少なくとも一部が吸収保持される。そのため、その分だけ繊維束４５の先端側への樹脂材料４７の浸透量が低減される。したがって、各繊維束４５の先端の毛羽状態が毛管現象で基端側から先端側へ浸透してくる樹脂材料４７で阻害されることを抑制することができる。
【００３６】
（４）毛羽体４１の繊維束４５を構成する各繊維４５ａは、導電性繊維により構成されているが、上述したように、たとえ繊維束４５が縦割り状に切断されたとしても、その切断箇所から導電性繊維４５ａが解れて飛散することはほとんどない。したがって、そうした導電性繊維４５ａが解れて飛散した場合などに発生することが懸念される電気的な不具合の発生を低減することができる。
【００３７】
（変更例）
なお、上記実施形態は、次のように変更して具体化することも可能である。
・上記実施形態において、複数の保持繊維４６（４６ａ，４６ｂ，４６ｃ）を樹脂材料４７とは異なる色の繊維であって且つ各繊維４５ａの毛管現象によって先端側へ浸透する樹脂材料４７を当該保持繊維４６が繊維束４５に巻き付いている位置で吸収した場合には変色する繊維により構成してもよい。このようにすれば、繊維束４５における基端側から先端側へ毛管現象で浸透する樹脂材料の浸透量を目視により把握することが可能となる。
【００３８】
・上記実施形態において、樹脂材料４７は、例えば金属粉末を含んだ組成にするなど、導電性を有した樹脂材料であってもよい。このようにすれば、毛羽体４１の繊維束４５が導電性繊維４５ａ及びそれらの間に含浸された導電性のある樹脂材料にて構成されることになるため、除電機能を発揮する際の電気抵抗を低減させることができる。
【００３９】
・上記実施形態において、保持繊維４６は、例えばポリプロピレン繊維などの合成繊維のように全て熱溶融性のある溶融繊維で構成してもよく、その逆に、例えば綿などの天然繊維のように全て非熱溶融の非溶融繊維で構成してもよい。この場合にも、繊維束４５の各繊維４５ａ間に含浸した樹脂材料４７の接着機能により各繊維４５ａは束ねられた状態に固められることに変化はない。
【００４０】
・上記実施形態において、繊維束４５を構成する繊維４５ａは導電性繊維以外の非導電性繊維で構成してもよい。
・上記実施形態において、各繊維束４５に対して束状に保持するべく巻き付く保持繊維４６の本数は実施形態における本数に限定されず、任意の本数を採用可能である。
【００４１】
・上記実施形態において、樹脂材料４７は、繊維束４５の先端部まで至らないならば、先端側保持繊維４６ａが巻き付いた位置よりも先端側の一定領域まで含浸させられていても良い。
【００４２】
・上記実施形態において、複数の保持繊維４６（４６ａ，４６ｂ，４６ｃ）は全て同じ液体の吸収保持能力であってもよい。
・上記実施形態において、毛羽体４１を回転体３１に装着する手段としては、必ずしも基材４０を介する必要はなく、接着剤、両面テープなどを使用して、直接、回転体３１に貼り付けて装着するようにしてもよい。その場合、回転体３１に設けられる貼り付け部の形状は装着方法に応じて適宜変更されうる。なお、この点が本発明の主旨に与える影響はほとんどないことは言うまでもない。
【００４３】
・上記実施形態に示した帯状のブラシである毛羽体４１は、電気掃除機用の回転ブラシ２２に限定されず、例えば画像形成装置における除電ブラシや感光ドラムに付着したトナーを掻き取ったりするブラシなどの他のブラシ製品に用いられてもよい。
【符号の説明】
【００４４】
４１…毛羽体（ブラシ）、４５…繊維束、４５ａ…繊維（導電性繊維）、４６，４６ａ，４６ｂ，４６ｃ…保持繊維、４６ａ…先端側保持繊維、４７…樹脂材料。
【図１】
0005980484.tif 000002
【図２】
0005980484.tif 000003
【図３】
0005980484.tif 000004
【図４】
0005980484.tif 000005
【図５】
0005980484.tif 000006
【図６】
0005980484.tif 000007
【図７】
0005980484.tif 000008
【図８】
0005980484.tif 000009